(57)【要約】【課題】ネットワークを介して結合されているカメラや機器を交換する際に監視システムの再構築を迅速かつ正確に復元することが可能な監視システムを提供する。【解決手段】カメラ１からの映像をエンコードするエンコーダ２を含む複数の機器２、３、４、６を、ネットワーク１０を介して操作端末７と監視サーバ８に接続して監視システムを構築した後に、操作端末７の指示により、カメラ１及び複数の機器２、３、４、６の設定情報を取得して監視サーバ８に保存することにより、ネットワーク１０を介して結合されているカメラ１や複数の機器２、３、４、６の設定情報を管理することを特徴とする。【選択図】図１
2008085776.tif 000002
【特許請求の範囲】
【請求項１】
カメラと、該カメラからの映像信号をネットワークを介して受信するサーバと、操作端末とを備え、前記操作端末からの指示により、前記監視カメラ及び前記ネットワークに結合された機器の設定情報を取得して、前記サーバに保存することにより、前記カメラや前記ネットワークに結合された機器の設定情報を管理することを特徴とする監視システム。
【発明の詳細な説明】
【技術分野】
【０００１】
本発明は監視システムに関わり、特に、機器設定情報管理に関する。
【背景技術】
【０００２】
従来から、監視カメラからの映像をエンコードするエンコーダ、エンコーダを内蔵した監視カメラ、ネットワークレコーダ、モニタに接続のデコーダ、操作端末、監視サーバや気象サーバなど、多くの機器が、ネットワークに結合されて監視システムが構築される。システム構築のために結合される機器は用途により種々異なる。また、監視サーバや気象サーバは特に別途設けることなく操作端末に備える蓄積部（メモリ）で行うものもある。
【０００３】
監視カメラは、カメラＩＤや旋回速度などの設定情報、望遠や広角、カメラの向きを変える情報などのプリセットプリセット設定情報を有する。エンコーダは画質やネットワークに出力する伝送速度などの設定情報を有する。ネットワークレコーダは録画間隔や画質などの設定情報を有する。モニタに接続のデコーダは画質やネットワークから受ける伝送速度などの設定情報を有する。
【０００４】
このように、監視カメラや複数の機器は、多くの設定情報を有し、監視システムに応じて設定情報の具体的設定値を決める。
【０００５】
なお、監視システムは公知であり、文献公知発明に係るものではない。
【発明の開示】
【発明が解決しようとする課題】
【０００６】
監視システムを運用中において、ネットワークに結合されたカメラその他の機器に障害が発生したときには、障害が発生した機器を交換する交換作業を実施する。その際、交換するカメラその他の機器に再度システムに合せて設定を行う必要がある。このための設定情報をサービスマンが設定情報が記述された完成図書などの文書等から取得し、取得した設定情報を元にいちいち行い、設定している。また更に、カメラのプリセット設定情報は、カメラ自身で持っているため、カメラの交換後に、システム運用者に確認しながら、再度設定を行わなければならない。
【０００７】
このような対応は、時間がかかり、また、設定を間違う可能性も高い。
【０００８】
本発明の目的は、ネットワークを介して結合されているカメラや機器を交換する際に監視システムの再構築を迅速かつ正確に復元することが可能な監視システムを提供することにある。
【課題を解決するための手段】
【０００９】
本発明は、カメラと、該カメラからの映像信号をネットワークを介して受信するサーバと、操作端末とを備え、前記操作端末からの指示により、前記カメラ及び前記ネットワークに結合された機器の設定情報を取得して、前記サーバに保存することにより、前記カメラや前記ネットワークに結合された機器の設定情報を管理することを特徴とする。
【００１０】
また、前記カメラのプリセット設定情報に対しては、前記サーバに、設定特報取得の保存更新機能を設け、運用中に運用者が適時変化させうる設定情報（例えば、スケジュール管理設定情報）を、定期的あるいは不定期に取得する。このように定期的あるいは不定期に取得することによって、保存された設定情報を定期的にあるいは不定期に更新することで、常に最新のプリセット設定情報を保存しておく。
【００１１】
前記サーバは、具体的には、蓄積装置又は前記操作端末に備える蓄積部（メモリ）である。
【００１２】
前記ネットワークを介して結合されているカメラその他の機器を交換する際には、前記サーバに保存してある前記カメラその他の機器の設定情報を用い、該設定情報を、前記操作端末の指示により、交換するカメラその他の機器に対し、通信処理により交換前のカメラその他の機器の設定と同じ設定情報を更新する（書き込む）。このように設定情報を更新することによって、設定情報の再設定を行う。
【００１３】
また、前記カメラを交換する際には、蓄積部に保存してある最新のプリセット設定情報を、前記操作端末の指示により、交換するカメラに、通信処理により、交換前のカメラの設定と同じ設定情報を書き込む。このように設定情報を書き込むことで、プリセット設定情報の再設定を行う。
【００１４】
また、監視システムで監視を運用中に障害が発生した場合の障害内容を検証するため、監視システムを運用したときの運用ログ（ＬＯＧ：履歴記録）も、前記サーバに記録する。このことで、障害が発生したとき、操作端末が備えるまたは操作端末に結合された表示画面上でのオペレータのＧＵＩ（ Graphical User Interface ）操作による指示により、前記サーバに保存されているデータを検証し、検証結果を操作端末が備えるまたは操作端末に結合された表示画面に表示することができる。
【発明の効果】
【００１５】
本発明によれば、ネットワークを介して結合されたカメラその他の機器を交換する際に監視システムの再構築を迅速かつ正確に復元することが可能な監視システムを得ることができる。
【発明を実施するための最良の形態】
【００１６】
本発明に係る実施の形態について、図を用いて説明する。
【００１７】
図１は、本発明に係る監視システムの実施の形態の構成図である。
【００１８】
図１において、１はカメラであり、カメラＩＤ（ Identifier ）や旋回速度などの設定情報、望遠や広角、カメラの向きを変える情報などのプリセット設定情報を有する旋回式カメラである。２はカメラ１の出力に接続されたエンコーダであり、画質やネットワークに流す伝送速度などの設定情報を有する。
【００１９】
３はエンコーダを内蔵したカメラであり、カメラＩＤや旋回速度などの設定情報、望遠や広角などのプリセット設定情報や画質やネットワークに流す伝送速度などの設定情報を有するＷＥＢカメラである。４はネットワークレコーダであり、録画間隔や画質などの設定情報を有する。５はモニタ、６はモニタ５に接続のデコーダであり、画質やネットワークから受ける伝送速度などの設定情報を有する。
【００２０】
７は操作端末であり、設定ポート（シリアル）とソフトウエアのデコーダを有する。８は監視サーバであり、操作端末７の指示により、カメラ１、エンコーダ２、カメラ３、ネットワークレコーダ４、及びデコーダ６の設定情報を各機器のＩＰ（ Internet Protocol ）アドレスとともに取得して保存する。９は気象サーバであり、気象状態を持っているサーバである。なお、ＩＰは、ネットワーク通信プロトコルの一種であるＴＣＰ／ＩＰ（ Transmission Control Protocol ／ Internet Protocol ）のネットワーク層であり、ＬＡＮやＷＡＮ（ Wide Area Network ）以外の他のネットワーク通信プロトコルを用いる場合は、別のネットワーク層を用いる。
【００２１】
１０はＬＡＮ（ Local area Network ）であり、カメラ１に接続のエンコーダ２、カメラ３、ネットワークレコーダ４、モニタ５に接続のデコーダ６、操作端末７、監視サーバ８、及び気象サーバ９と接続する。
【００２２】
カメラ１に接続のエンコーダ２、カメラ３、ネットワークレコーダ４、モニタ５に接続のデコーダ６、操作端末７、監視サーバ８、及び気象サーバ９をＬＡＮ（ Loca1 Area Network ）１０に接続して監視システムを構築する。即ち、モニタ５及び操作端末７は、ネットワークを介して、カメラ１または３、あるいは監視サーバ８からの映像を取得し、自身あるいは外付けのモニタ５の表示画面で監視を行うことができる。
【００２３】
構築された監視システムは、その後、操作端末７の画面に設けた設定情報のアイコンをクリックして、ＬＡＮ（ Local Area Network ）１０を介して、ＦＴＰ（ File Transfer Protocol ）やシリアルコマンドによる通信処理により、カメラ１の設定情報、エンコーダ２の設定情報、カメラ３の設定情報、ネットワークレコーダ４の設定情報、デコーダ６の限定情報をカメラ１や各機器（エンコーダ２、カメラ３、ネットワークレコーダ４、デコーダ６）のＩＰアドレスとともに取得して、監視サーバ８に保存する。
【００２４】
この監視サーバ８に、設定情報取得の更新保存機能が設けられていて、運用中に運用者が適時ブリセットするところの、カメラ１のブリセット設定情報やカメラ３のプリセット設定情報を、定期的に読み込み保存を更新することで、最新のプリセット設定情報を保存する。
【００２５】
また、この監視サーバ８に、監視システムを運用したときの運用ログ（ＬＯＧ：履歴記録）、例えば、カメラ１やカメラ３と監視サーバ８間のカメラ通信ＬＯＧ、監視サーバ８と気象サーバ９間のサーバ間通信ＬＯＧ、監視サーバ８内での映像切換通信ＬＯＧ、ＯＳイベントＬＯＧ、ネットワークＬＯＧも記録される。これらの運用ログ（ＬＯＧ：履歴記録）は、障害が発生したときの検証に使用される。
【００２６】
監視システムを運用中に、カメラ１やカメラ３、エンコーダ２、ネットワークレコーダ４、またはデコーダ６のいずれかの機器に障害か発生して、交換する際には、監視サーバ８に保存してある、カメラ１やカメラ３、エンコーダ２、ネットワークレコーダ４、またはデコーダ６の設定情報やプリセット設定情報を用いる。
【００２７】
オペレータは、操作端末７の表示画面に表示された図形（例えば、アイコン）をＧＵＩ（ Graphical User Interface ）操作（例えば、再設定のアイコンをクリック）する。この操作によって、監視サーバ８の蓄積部に保存してある設定情報やブリセット設定情報を、ＬＡＮ（ Local Area Network ）１０を介して、ＦＴＰ（ File Transfer Protocol ）やシリアルコマンドによる通信処理により、ＩＰアドレスで指定されたカメラ１やカメラ３、エンコーダ２、ネットワークレコーダ４、デコーダ６に、設定情報やプリセット設定情報の再設定を行う。なお、蓄積部は監視サーバ８ではなく、操作端末に備えてあっても良い。
【００２８】
なお、交換するカメラ１やカメラ３、エンコーダ２、ネットワークレコーダ４、デコーダ６に、ＩＰアドレスが設定されていないときは、交換するカメラや機器を操作端末７の設定ポートに接続し、ネットワークレコーダ４に記録のＩＰアドレスを流し込み、設定を行ってから、交換する。
【００２９】
したがって、本実施の形態では、カメラや機器を交換する際に監視システムの再構築を迅速かつ正確に復元することか可能な監視システム、あるいは、監視システムにおける機器設定情報管理システムを得ることができる。
【００３０】
また、気象サーバについては、他のサーバ（例えば、交通情報、地図情報、等の情報を提供する外部サーバ）と同様に、ネットワークを介して、他のシステムから情報をもらうこともある。
【００３１】
なお、図１の実施の形態では、カメラ１が旋回式カメラ、カメラ３がＷＥＢカメラであったが、例えば、アナログカメラ、デジタルカメラどちらでも良く、それらにエンコーダが結合されてＬＡＮ等のネットワークに結合されても良く、別の組合せでも良く、それらのカメラが複数あっても良い。
【００３２】
また、本発明の監視システムでは、ネットワークに結合される機器もこれ用途によってさまざまな機器が結合される。さらに、ネットワークはＬＡＮである必要はない。
【００３３】
また、設定情報には、スケジュール設定やセンサ関連設定の情報を含むこともある。エンコーダは画質やネットワークに出力する伝送速度などの設定情報を有し、エンコードするときの画像圧縮形式を複数有するシステムの場合には、どの圧縮形式に変換して出力するかの設定情報も含み、カメラが取得した映像信号を、ネットワークを介して伝送するために、符号化して出力する。ネットワークレコーダは録画時間、録画間隔や画質などの設定情報の他に、スケジュール録画、センサ録画、あるいは手動録画であるかの識別情報を有する。
【００３４】
次に、監視システムで監視を運用中に障害が発生した場合の障害内容を検証について説明する。
【００３５】
監視システムは、図１のような構成であり、監視サーバ８やＬＡＮ１０などの最新技術を駆使しているので、機能的に大きく向上している。しかし、進化した技術の一方で弊害も出てきている。その中の１つが、障害が発生したときの切り分け（障害原因の特定又は検証）の困難さである。カメラ通信ＬＯＧやサーバ間通信ＬＯＧの解析などは専門の技術者以外では解析が難しく、障害復旧までに時間を要してしまう結果となっている。
【００３６】
そこで、障害が発生した場合の障害内容を簡単（容易）かつ迅速に検証できることか要望される。
【００３７】
図２は、本発明に係る監視システムにおいて、障害が発生した場合の障害内容を簡単で迅速に検証するための検証画面の表示例である。図２に示す表示は例えば、図１の監視システムの操作端末７の表示画面に表示される。図１の監視システムにおいて、操作端末７の表示画面に表示された障害内容検証のアイコンをオペレータのＧＵＩ操作による指示によって、例えばマウスで、クリックすると、図２の検証画面に移行する。
【００３８】
図２の検証画面は、左側のＬＯＧ解析画面１１と右側の検証結果画面１２の２つの画面で構成される。
【００３９】
左側のＬＯＧ解析画面１１は、システム状態の履歴の項目を示すＬＯＧ選択画面１１Ａと現象として現れたシステムの障害内容の項目を示す障害内容画面１１Ｂと検証を開始させるためのＧＵＩボタンである検証開始ボタン１１Ｃの３つの画面からなる。
【００４０】
ＬＯＧ選択画面１１Ａには、“カメラ通信ＬＯＧ”、“サーバ間通信ＬＯＧ”、“映像切換通信ＬＯＧ”、“ＯＳイベントＬＯＧ”、“ネットワークＬＯＧ”の５項目が行別に表示され、オペレータはＧＵＩ操作によってその表示されたＬＯＧのうちの１項目以上を選択することができる。
【００４１】
障害内容画面１１Ｂは、“映像が出ない”、“カメラ制御ができない”、“映像切換ができない”、“画面が起動できない”、“その他（不明、ない）”の５項目が行別に表示され、オペレータはＧＵＩ操作によってそのうちの１項目以上を選択する。
【００４２】
オペレータは、ＬＯＧ選択と障害内容を、ＬＯＧ選択画面１１Ａと障害内容画面１１Ｂから選択し、検証開始ボタン１１を、例えば、マウスをクリックすることで実行する。
【００４３】
検証開始ボタン１１がＧＵＩ操作によって押されたことにより、右側の検証結果画面１２には、障害の原因となっている機器画面１２Ａと、具体的な不具合内容画面１２Ｂが表示される。
【００４４】
図１に示す実施の形態において、監視サーバ８または操作端末７の蓄積部には、予め、選択されたＬＯＧと障害内容に応じて障害の原因となっている機器とその機器の具体的な不具合内容とが特定するデータが登録されており、オペレータのＬＯＧ解析画面１１での操作に応じて登録されたデータによって解析が実行される。
【００４５】
例えば、オペレータが、ＬＯＧ選択画面１１Ａに表示された５項目のうち少なくとも１つを選択するために選択したい項目の左側に表示された丸図形をマウスでクリックすると、丸図形は、その項目が選択されたことを示す表示図形に変更される。またオペレータが、障害内容画面１１Ｂに表示された５項目のうち少なくとも１つを選択するために選択したい項目の左側に表示された丸図形をマウスでクリックすると、丸図形は、その項目が選択されたことを示す表示図形に変更される。その後、検証開始ボタン１１Ｃをクリックする。
【００４６】
すると、操作端末７は、監視サーバ８に保存してある、運用システムを運用したときの運用ＬＯＧ（履歴記録）の中から、ＬＯＧ選択画面１１Ａから選択されたＬＯＧを取得し、障害内容画面１１Ｂから選択された項目と照合して該当するデータを検証し、検証結果１２を、障害の原因となっている機器１２Ａと、具体的な不具合内容１２Ｂの箇所に、表示する。
【００４７】
例えば、ＬＯＧ選択画面１１Ａで“カメラ通信ＬＯＧ”を選択し、障害内容画面１１Ｂで“映像が出ない”を選択して、検証したときに、検証結果１２として、障害の原因となっている機器画面１２Ａに、「エンコーダ」を表示し、具体的な不具合内容画面１２Ｂに、「ＩＰアドレス設定不良」を表示する。
【００４８】
このように、オペレータは、図２に示すような操作端末７の検証画面を使った操作により、簡単に、監視サーバ８に記録してあるデータを検証し、検証結果を操作端末の画面に表示することができる。
【００４９】
したがって、本実施の形態では、ネットワークを介して結合されているカメラや機器を交換する際に監視システムの再構築を迅速かつ正確に復元することが可能となり、障害復旧時間（ＭＴＴＲ：Mean Time To Repair ）を飛躍的に下げることができ、それにより障害対応に必要なコストを大幅に下げることができる。
【図面の簡単な説明】
【００５０】
【図１】本発明に係る監視システムの実施の形態の構成図である。
【図２】本発明に係る監視システムにおいて、障害が発生した場合の障害内容を簡単で迅速に検証するための検証両面の表示例である。
【符号の説明】
【００５１】
１：カメラ、２：エンコーダ、３：カメラ、４：ネットワークレコーダ、５：モニタ、６：デコーダ、７：操作端末、８：監視サーバ、９：気象サーバ、１０：ＬＡＮ、１１：ＬＯＧ解析画面、１１Ａ：ＬＯＧ選択画面、１１Ｂ：障害内容画面、１１Ｃ：検証開始ボタン、１２：検証結果画面、１２Ａ：障害の原因となっている機器画面、１２Ｂ：具体的な不具合内容画面。
【図１】
2008085776.tif 000003
【図２】
2008085776.tif 000004